【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
使用者が着座するシートを構成して前記使用者を表面（２１ａ，２２ａ）側で支えて弾性変形し、かつ前記表面（２１ａ，２２ａ）側にそれぞれ開口する複数の通風路（３１ａ、３１ｂ）を備えるシートパット（２１、２２）と、
通気性を有して前記シートパット（２１、２２）のうち前記表面（２１ａ，２２ａ）側を覆うように配置されている表皮カバー（３０）と、
前記複数の通風路（３１ｂ）からそれぞれ吹き出される空気が集まる空気出口（４１）と、
前記シートパット（２１，２２）の裏面（２２ｂ）側に配置されて、前記空気出口（４１）に接続されている吸入口（５０ａ）を有し、前記表皮カバー（３０）側から前記複数の通風路（３１ａ、３１ｂ）、前記空気出口（４１）、および前記吸入口（５０ａ）を通して空気を吸入する送風機（４０、５０）と、を備え、
前記送風機（５０）は、回転軸（５２）を中心とする円周方向に並べられ、かつ前記回転軸に支持されている複数枚の翼（５５ａ）を有する遠心多翼ファン（５５）と、前記遠心多翼ファンを収納し、前記回転軸の軸線方向一方側で、かつ前記空気出口側に開口する前記吸入口を有するケース（５１）とを備え、
前記空気出口から吹き出される空気流を前記複数枚の翼が前記回転軸の径方向外側に導くことにより、前記空気出口から吹き出される空気流が整流されて前記吸入口側に流れるようになっており、
前記複数の通風路を流れる空気流れ方向が前記通風路毎に前記円周方向に接する接線（Ｓ１）方向との間で回転方向になす角度をθ１とし、前記複数枚の翼が前記翼毎に前記円周方向に接する接線（Ｓ１）方向との間で前記回転軸の回転方向になす角度をθ２としたとき、前記θ１と前記θ２とが互いに相違することを特徴とするシート空調システム。
【請求項２】
前記θ１は、９０°＜θ１＜１８０°を満たし、かつ前記θ２は、２０°＜θ２＜８０°を満たすことを特徴とする請求項１に記載のシート空調システム。
【請求項３】
使用者が着座するシートを構成して前記使用者を表面（２１ａ，２２ａ）側で支えて弾性変形し、かつ前記表面（２１ａ，２２ａ）側にそれぞれ開口する複数の通風路（３１ａ、３１ｂ）を備えるシートパット（２１、２２）と、
通気性を有して前記シートパット（２１、２２）のうち前記表面（２１ａ，２２ａ）側を覆うように配置されている表皮カバー（３０）と、
前記複数の通風路（３１ｂ）からそれぞれ吹き出される空気が集まる空気出口（４１）と、
前記シートパット（２１，２２）の裏面（２２ｂ）側に配置されて、前記空気出口（４１）に接続されている吸入口（５０ａ）を有し、前記表皮カバー（３０）側から前記複数の通風路（３１ａ、３１ｂ）、前記空気出口（４１）、および前記吸入口（５０ａ）を通して空気を吸入する送風機（４０、５０）と、を備え、
前記空気出口（４１）から吹き出される空気が整流されて前記吸入口（５０ａ）に流れるようになっており、
前記シートパット（２２）には、前記複数の通風路（３１ｂ）からそれぞれ吹き出される空気流を前記空気出口（４１）側から前記吸入口（５０ａ）側に導くガイド部（６０）が設けられていることを特徴とするシート空調システム。
【請求項４】
前記ガイド部（６０）は、前記シートパット（２２）のうち前記吸入口（５０ａ）に対向する部位から前記吸入口（５０ａ）側に突起するように形成されていることを特徴とする請求項３に記載のシート空調システム。
【請求項５】
使用者が着座するシートを構成して前記使用者を表面（２１ａ、２２ａ）側で支えて弾性変形し、かつ前記表面側にそれぞれ開口する複数の通風路（３１ａ、３１ｂ）を備えるシートパット（２１、２２）と、
通気性を有して前記シートパットのうち前記表面側を覆うように配置されている表皮カバー（３０）と、
前記複数の通風路からそれぞれ吹き出される空気が集まる空気出口（４１）と、
前記シートパットの裏面（２２ｂ）側に配置されて、前記空気出口に接続されている吸入口（５０ａ）を有し、前記表皮カバー側から前記複数の通風路、前記空気出口、および前記吸入口を通して空気を吸入する送風機（５０）と、
前記空気出口と前記吸入口とが並ぶ方向を並び方向とした場合において、前記シートパットに設けられ、前記複数の通風路が接続されて前記並び方向に交差する方向に拡がり、かつ前記吸入口に対向する部位に前記空気出口を形成する出口通路（９０）と、
前記シートパットの裏面側において、前記空気出口および前記吸入口の間に設けられ、前記空気出口から前記並び方向に交差する方向に流れる空気流が前記吸入口に流れる前に、前記空気出口から前記並び方向に交差する方向に流れる空気流に圧損を生じさせることにより、前記空気出口から流れる空気流を整流して前記吸入口に流す整流部材（７０）と、を備えることを特徴とするシート空調システム。
【請求項６】
前記整流部材は、前記並び方向に前記空気流を流通させる複数の通路を形成する壁を備え、前記壁が前記並び方向に交差する方向に流れる空気流に圧損を生じさせることにより、前記空気出口から吹き出される空気を整流して前記吸入口に流すことを特徴とする請求項５に記載のシート空調システム。
【請求項７】
前記整流部材は、前記壁が繊維よって形成される三次元編み物であることを特徴とする請求項６に記載のシート空調システム。
【請求項８】
前記整流部材は、前記出口通路内に配置されていることを特徴とする請求項５ないし７のいずれか１つに記載のシート空調システム。
【請求項９】
前記送風機は、
前記並び方向を軸線方向とする回転軸（５２）を中心とする円周方向に並べられ、かつ前記回転軸に支持されている複数枚の翼（５５ａ）を有する遠心多翼ファン（５５）と、
前記遠心多翼ファンを収納し、前記回転軸の軸線方向一方側で、かつ前記空気出口（４１）側に開口する前記吸入口を有するケース（５１）と、を備えることを特徴とする請求項５ないし８のいずれか１つに記載のシート空調システム。
【手続補正２】
【補正対象書類名】明細書
【補正対象項目名】０００８
【補正方法】変更
【補正の内容】
【０００８】
上記目的を達成するため、本開示の１つの態様では、使用者が着座するシートを構成して使用者を表面（２１ａ，２２ａ）側で支えて弾性変形し、かつ表面（２１ａ，２２ａ）側にそれぞれ開口する複数の通風路（３１ａ、３１ｂ）を備えるシートパット（２１、２２）と、
通気性を有してシートパット（２１、２２）のうち表面（２１ａ，２２ａ）側を覆うように配置されている表皮カバー（３０）と、
複数の通風路（３１ｂ）からそれぞれ吹き出される空気が集まる空気出口（４１）と、
シートパット（２１，２２）の裏面（２２ｂ）側に配置されて、空気出口（４１）に接続されている吸入口（５０ａ）を有し、表皮カバー（３０）側から複数の通風路（３１ａ、３１ｂ）、空気出口（４１）、および吸入口（５０ａ）を通して空気を吸入する送風機（４０、５０）と、
送風機（５０）は、回転軸（５２）を中心とする円周方向に並べられ、かつ回転軸に支持されている複数枚の翼（５５ａ）を有する遠心多翼ファン（５５）と、遠心多翼ファンを収納し、回転軸の軸線方向一方側で、かつ空気出口側に開口する吸入口を有するケース（５１）とを備え、
空気出口から吹き出される空気流を複数枚の翼が回転軸の径方向外側に導くことにより、空気出口から吹き出される空気流が整流されて吸入口側に流れるようになっており、
複数の通風路を流れる空気流れ方向が通風路毎に円周方向に接する接線（Ｓ１）方向との間で回転方向になす角度をθ１とし、複数枚の翼が翼毎に円周方向に接する接線（Ｓ１）方向との間で回転軸の回転方向になす角度をθ２としたとき、θ１とθ２とが互いに相違することを特徴とする。
【手続補正３】
【補正対象書類名】図面
【補正対象項目名】図１３
【補正方法】変更
【補正の内容】
【図１３】
2015174580.tif 000001